(57)【要約】【課題】従来の構成のエーミング調整機構では、近年の灯具の大型化に伴い、同様に大型化して強度を増さざるを得なくなり、これに伴い、ガタ量も増えると共に調整時に必要な力も大きくなるという問題点を生じていた。【解決手段】ハウジング３に設けたネジ取付孔３ａにネジ２を挿入し、ネジの挿入側の一端をＯリング４で、他端をプッシュナット６でハウジングに回動自在に狭止して成るエーミング調整用機構１において、ハウジングに設けるネジ取付孔はネジ挿入側の穴径を基準として略１°のテーパーを設けると共に、ハウジングのプッシュナットを係止する側の外径にはネジと平行する方向に突出するリブ３ｅを設け、プッシュナットの外径には、リブの内径が嵌合する立上げ部６ａが設けられているエーミング調整機構とすることでハウジングとネジとの摩擦面積を減じ操作を容易として課題を解決する。【選択図】図１
2008189245.tif 000002
【特許請求の範囲】
【請求項１】
ハウジングに設けたネジ取付孔にネジを挿入し、前記ネジの挿入側の一端をＯリングで、他端をプッシュナットで前記ハウジングに対して空転により回動自在に狭止して成るエーミング調整用機構において、前記ハウジングに設ける前記ネジ取付孔は、前記ネジを挿入する側の穴径を基準として略１°の抜きテーパーを設けると共に、前記ハウジングのプッシュナットを係止する側の外径には前記ネジと平行する方向に突出するリブを設けておき、前記プッシュナットの外径には、前記リブの内径が勘合する立上げ部が設けられている構成としたことを特徴とするエーミング調整機構。
【発明の詳細な説明】
【技術分野】
【０００１】
本発明は、車両用灯具を車体に取付けた後に、灯具が規定の方向を照射するように、灯具の向きを調整するためのエーミング調整機構の構成に係るものであり、詳細には、従来は、灯具も比較的に小型であり、前記エーミング調整機構として６ｍｍ径程度の規格のものが採用されていたが、近年にいたりデザイン的な見栄えの向上などの面で灯具が大型化し、前記エーミング調整機構として８ｍｍ径程度のものを使用せざるを得ないのが現状であり、調整時の作業力が増加してきたり、摩耗の早期進行など耐久性が低下してきている点の解決に係るものである。
【背景技術】
【０００２】
従来の、この種のエーミング調整機構９０の構成の例を示すものが図２であり、ハウジング９１には、例えば６mm径のネジ９２が適度のトルクで空転させることができるように適宜な穴径としたネジ取付孔９１ａが設けられている。尚、このときには、前記ねじ９２の挿入側には、防水と滑り調整を兼ねてＯリング９３が取付けられ、更に、金属カバー９４により蓋が成されている。
【０００３】
そして、前記ネジ９２の反対側の端部からは、プッシュナット９５が嵌め込まれ、前記ネジ９２は、前記Ｏリング９３を介する金属カバー９４と、前記プッシュナット９５とに挟まれて取付けが行われた位置から前進、後退を行うことなく回動自在な状態となっている。
【０００４】
この状態で、前記ネジ９２にエーミング用ナット８０を螺合しておき、前記ネジ９２とは供回りしない状態としておけば、前記ネジ９２を左右に回動することで、前記ナット８０は前記ネジ９２上を前後に直線移動をするものとなり、このナット８０の移動により灯具（図示せず）が向きを換えるような構成を形成しておけば、灯具のエーミング（照準）が行えるものとなる。
【０００５】
尚、図中に９６で示すものはネジ９２の頭部９２ａを自動車の使用者から隠蔽するための目隠しカバー９６であり、国によっては自動車の出荷時に調整された灯具のエーミングは、使用者が再調整し変更することを許されていないので、ネジ９２の頭部９２ａは自動車の使用者から見えないようにすることが要求されている。
【特許文献１】特願平０９−３３７３２７号公報
【発明の開示】
【発明が解決しようとする課題】
【０００６】
しかしながら、近来の灯具においては、車両のデザイン面から、素通しのアウターレンズを採用して車体形状と一体化を図るなどして、大型化が顕著となり、上記でも説明したように６ｍｍ径のネジ９２では対応できなくなり、例えば強度の面から、８ｍｍ径のネジ９２を使用せざるを得ない状況となってきている。
【０００７】
この場合、各部の重量が増すと共に、エーミングを行うときに外部から加える力も大きな力が必要となるので、例えば、前記プッシュナット９５のハウジング９１への食い込み、或いは、ネジ９２によるハウジング９１の削り取りなどの現象を生じやすく、結果として、エーミング機構全体としてガタを生じやすくなり、走行中の異音の原因などとなるなどの問題点を生じていた。
【課題を解決するための手段】
【０００８】
本発明は、前記した従来の課題を解決するための具体的な手段として、ハウジングに設けたネジ取付孔にネジを挿入し、前記ネジの挿入側の一端をＯリングで、他端をプッシュナットで前記ハウジングに対して空転により回動自在に狭止して成るエーミング調整用ネジにおいて、前記ハウジングに設ける前記ネジ取付孔は、前記ネジを挿入する側の穴径を基準として略１°の抜きテーパーを設けると共に、前記ハウジングのプッシュナットを係止する側の外径には前記ネジと平行する方向に突出するリブを設けておき、前記プッシュナットの外径には、前記リブの内径が勘合する立上げ部が設けられている構成としたことを特徴とするエーミング調整機構を提供することで、課題を解決するものである。
【発明の効果】
【０００９】
本発明により、ネジ取付孔にテーパーを設けて、ネジとハウジングとの接触面積を少なくしたことで、ネジ径を６ｍｍから８ｍｍに太くしても、実質的に両者の接触面積が増えることなくエーミング作業時の力を増加せずに作業を可能とするという優れた効果を奏するものとする。
【００１０】
また、プッシュナットとハウジングとが接触する他方の端部では、ハウジングにネジの軸方向と平行する方向にリブを設け、プッシュナットには、リブと平行方向（同軸）に回動を行う立上げ部を設けたことで、プッシュナットとハウジングとに削り取りの現象などを生じることがなくなり、ガタの発生も防止可能とするものとなる。
【発明を実施するための最良の形態】
【００１１】
つぎに、本発明を図に示す実施形態に基づいて詳細に説明する。図１に符号１で示すものは、本発明に係るエーミング調整機構であり、このエーミング調整機構は、基本的には、ネジ２と、ハウジング３に設けられるネジ取付孔３ａと、プッシュナット６と、Ｏリング４などで構成されているものである点は、従来例のものと同様である。
【００１２】
ここで、まず、本発明においては、前記ネジ２は、近来の灯具（図示せず）にも強度的に耐えられるように、従来例の６ｍｍ径のものに換えて８ｍｍ径のものが採用され、近年の大型化された灯具に対しても、充分な強度が保証できるものとされている。
【００１３】
そして、前記ハウジング３には、前記ネジ２を適宜な応力で回転可能とする径のネジ取付孔３ａが設けられているものとされるが、本発明により、前記ネジ取付孔３ａは、前記ネジ２を挿入する側のみの穴径が、前記ネジ２の外径と対応する径とされ、挿入方向に進行するほど、穴径が拡がるものとされている。
【００１４】
尚、前記ネジ取付孔３ａのネジ２の挿入側の端部３ｂには、前記ネジ取付孔３ａと同芯として適宜な段差を有する凹部３ｃが設けられ、この凹部３ｃにはＯリング４が取付けられて、ハウジング３内の防水が行われているのは従来例のものと同様であり、更に、前記Ｏリングを覆いカバー５も設けられている。
【００１５】
ここで、前記ネジ取付孔３ａに設けられる穴径について説明を行うと、片側に約１°の傾斜で拡がる抜きテーパー３ｆ（図ではテーパーが設けられていることが明確となるように角度を拡大して示してある。）であり、よって、このネジ取付穴３ａに挿入が行われるネジ２は、原則的には挿入側の端部３ｂの近傍のみでネジ取付孔３ａと接触するものとなり、他の部分では接触することはない。
【００１６】
また、前記ハウジング３における挿入側の端部３ｂに対峙する他の一方の端部３ｄに付いて説明を行うと、円筒状に適宜な厚みが確保され、前記ネジ２と平行する方向に突出するリブ３ｅが適宜な高さとして設けられている。尚、前記リブ３ｅの少なくとも内径は円形として形成されている。
【００１７】
加えて、本発明においては、従来例でも使用されていたプッシュナット６も使用されるものであり、前記ネジ２のネジ頭部２ａとでハウジング３を挟むようにしてプッシュナット６は前記ネジ２に取付けられるものとされるが、本発明におけるプッシュナット６には、前記に説明したリブ３ｅの内径に、外径で嵌合する立ち上げ部６ａが形成されている。
【００１８】
したがって、前記プッシュナット６を他の一方の端部３ｄからネジ２に取付けると、プッシュナット６は立ち上げ部６ａが、リブ３ｅと嵌合し、ネジ２をネジ取付孔３ａの中心に保つものとなる。よって、ネジ２に灯具（図示せず）のエーミングを行うためのエーミング用ナット１０を螺合させておけば、このエーミング用ナット１０はネジ２の回転に伴い移動し、灯具のエーミングを行うものとなる。
【００１９】
そしてこのときに、ネジ２は、ハウジング３の挿入側の端部３ｂと、プッシュナット６のハウジング３のネジ取付孔３ａに設けられたリブ６ａとで接触、摺動するのみであるので、従来例のものと比較しても、それ程にネジ２と、プッシュナット６を介して接続するハウジング３との摩擦力が増えておらず、極端に操作時の作業感覚が変化することがない。
【００２０】
以上に説明したように、本発明によれば、ネジ取付孔３ａに抜きテーパー３ｆが設けられたことで、ネジ２と取付孔３ａとの接触面積が格段に減少するものとなり、エーミングを行うためにネジ２を回転させるときにも、ネジ２とネジ取付孔３ａとの摩擦も従来例と同等、若しくは、減少するものとなる。
【００２１】
したがって、上記にも述べたように、近年の灯具の大型化に伴い、それを駆動するために、ネジ２も径の太いものに変更するなど部品を大型化して、強度の向上を計るときにも、エーミング調整機構１を駆動させるときの操作力をそれ程に増すことなく作業を可能とする。
【００２２】
また、本発明によれば、エーミング調整機構１の構成も従来例のものと殆ど同一で良く、例えば、ネジ取付孔３ａの形成時にテーパーを設ける。プッシュナット６の外径に立ち上げ部６ａを設ける。および、ネジ取付孔３ａの終端にリブ３ｅを設けるなど軽微な変更で良く実施するに当たっても大きな設計変更を伴わず極めて容易である。
【００２３】
更に言えば、本発明のエーミング調整機構１に変更した後にも、組立手順は従来例のものと変わらず、また、調整手順も全くに同様であり、工程上の変更も全く行わずに実施可能であり、組立ラインに与える影響も最小限のものでよい。
【図面の簡単な説明】
【００２４】
【図１】本発明に係るエーミング調整機構の構成を示す断面図である。
【図２】従来例を示す断面図である。
【符号の説明】
【００２５】
１…エーミング調整機構
２…ネジ
２ａ…ネジ頭部
３…ハウジング
３ａ…ネジ取付孔
３ｂ…挿入側の端部
３ｃ…凹部
３ｄ…他の一方の端部
３ｅ…リブ
３ｆ…抜きテーパー
４…Ｏリング
５…カバー
６…プッシュナット
６ａ…立ち上げ部
１０…エーミング用ナット
【図１】
2008189245.tif 000003
【図２】
2008189245.tif 000004